(57)【特許請求の範囲】
【請求項１】
石油燃焼器のバーナへ燃料を送る往路と、
この往路の途中から低圧側へ燃料を戻す戻し路を持ち、この戻し路内を流れる戻し量を制御することで、ノズルから噴霧量を制御する燃料流量制御装置において、
前記往路側に加圧のために設けた電磁ポンプを含む電磁ポンプユニットと、
前記戻し路側に戻し量を調節するために設けられた比例制御弁を含む比例制御弁ユニットと、
前記往路の先端に設けられたノズルを含むノズルユニットとに分けて構成され、
前記電磁ポンプユニットと比例制御弁ユニットは、石油燃焼器のバーナ燃焼室に取付られたバーナキャップの上面にユニットベースを介して取付られると共に、
前記ノズルユニットは、前記バーナキャップの下面に前記ユニットベースを介して取付られ、バーナ燃焼室内に配されたことを特徴とする石油燃焼器用バーナの燃料流量制御装置。
【請求項２】
前記ユニットベースにノズルユニットが下方に取付られ、このユニットベースがガスケットを介して前記バーナキャップに取付られたことを特徴とする請求項１記載の石油燃焼器用バーナの燃料流量制御装置。
【発明の詳細な説明】
【０００１】
【発明の属する技術分野】
この発明は、石油燃焼給湯機等に用いられる石油燃焼器用バーナの燃料流量制御装置に関する。
【０００２】
【従来の技術】
石油燃焼器用バーナの燃料流量制御装置は、特許第２６８９０６６号公報にも示すように、公知であり、図示しないがノズルに所定圧を有して送られる往路に、ノズル近傍からバイパスしてタンクへ戻される戻し路が接続され、この戻し路に比例制御弁が設けられて構成され、この比例制御弁に印加される電流値を制御することで戻し路内を流れる流量を変化させ、もってノズルからの噴霧量が無段階に変化させられるものである。
【０００３】
このような、石油燃焼給湯機は、設置時の設置試運転時に、油路内に空気が入り込んでおり、また石油タンクが空になったときには油路内に空気が吸い込まれ、共に空気による不具合、即ち黒煙や異臭を発生させる原因となっていた。
【０００４】
このために、従来から対策は多数講じられており、当出願人も特にノズルよりの戻し路にあって、順次上方に向かってストレーナ、逆止弁を介して比例制御弁の流入口に接続され、この比例制御弁の流出口から前記電磁ポンプの吸入口に接続され、従来例の横方向設置例に対し縦方向設置例を開発した。
【０００５】
その際、戻し路は、下方から上方への流れの組合せ条件で構成されるが、電磁ポンプの吸入口の位置とノズルとの間の各機器を直列的に配置しなければならず、一部水平部分を許しても空気の上昇を妨げるような溜まりを設けることは許さず、できるだけ戻し路が直線的に吸入口へ向かうのが最良である。しかし、このような装置では、燃料経路が配管結合されて縦方向（上下方向）に長くなる不都合のみならず、配管結合の増加が配管作業によるコスト増となる不都合もあわせて発生していた。
【０００６】
このため出願人は、特願平１０−２４１２３４号を提案し、前述の不都合を解消した。即ち、この発明の石油燃焼器用バーナの燃料流量制御装置２は、図１２に示すように、油タンク１より吸い込んだ油を高圧圧送する往路３に設けられた電磁ポンプ４と、この電磁ポンプ４からの高圧の油を噴霧口５より燃焼器内に噴霧し、残りを戻し路６を通して前記電磁ポンプ４の吸入側へ戻すノズル７と、このノズル７からの戻し油が通る戻し路６に設けられ、戻し油量を制御する比例制御弁８を備えており、前記ノズル７は、ノズルホルダ９を介してノズルブロック１０に取付けられ、前記比例制御弁８は比例制御弁ブロック１１に取付けられると共に、前記ノズルブロック１０上に前記電磁ポンプブロック１２と前記比例制御弁ブロック１１とを並設し、該電磁ポンプブロック１２と比例制御弁ブロック１１とが上方で連結されて前記ノズルの往路３及びノズルからの戻し路６が形成されたことにある。
【０００７】
このような石油燃焼器用バーナの燃料流量制御装置２にあっては、取付板１４を介して燃焼ケース１５の上方の天板１６に取付けられ、電磁ポンプブロック１２と比例制御弁ブロック１１は外方に、ノズル７及びノズルホルダ９は天板１６に形成の孔１７からバーナ燃焼室のウインドボックス１８内に挿入されている。
【０００８】
このような構成により、比例制御弁８と電磁ポンプ４が並列に配されて縦方向の寸法を小さくできるものである。また、ノズルブロック１０上に電磁ポンプブロック１２と比例制御弁ブロック１１を配すると共に、比例制御弁ブロック１１の流出側と電磁ポンプブロック１２にある電磁ポンプ４の吸入側に接続したことで配管パイプをなくして配管作業をなくすことができた。
【０００９】
【発明が解決しようとする課題】
しかしながら、縦方向の寸法は、ノズルブロック１０の寸法に並設の電磁ポンプブロック１２と比例制御弁ブロック１１とのどちらか大きい寸法を加えたものがあるが、このようにした前記発明でも縦方向の寸法が大きく、更に縦方向寸法の小型化の要請がされていた。またバーナ燃焼室への取付けも全ての機種に対応すべく取付け手順、構造の簡素化も要請されていた。
【００１０】
このため、この発明では、更に縦方向の寸法の減少を図ると共に、取付け構造の標準化を図ったものである。
【００１１】
【課題を解決する手段】
この発明に係る石油燃焼器用バーナの燃料流量制御装置は、石油燃焼器のバーナへ燃料を送る往路と、この往路の途中から低圧側へ燃料を戻す戻し路を持ち、この戻し路内を流れる戻し量を制御することで、ノズルから噴霧量を制御する燃料流量制御装置において、前記往路側に加圧のために設けた電磁ポンプを含む電磁ポンプユニットと、前記戻し路側に戻し量を調節するために設けられた比例制御弁を含む比例制御弁ユニットと、前記往路の先端に設けられたノズルを含むノズルユニットとに分けて構成され、前記電磁ポンプユニットと比例制御弁ユニットは、石油燃焼器のバーナ燃焼室に取付られたバーナキャップの上面にユニットベースを介して取付られると共に、前記ノズルユニットは、前記バーナキャップの下面に前記ユニットベースを介して取付られ、バーナ燃焼室内に配されたことにある（請求項１）。
【００１２】
したがって、燃料流量制御装置のノズルユニットがバーナ燃焼室内にバーナキャップにユニットベースを介して取付けられ配されることから、該ノズルユニットの部分の寸法を燃料流量制御装置の縦方向寸法から削除することができたものである。
【００１３】
また、ユニットベースにノズルユニットが下方に取付けられ、このユニットベースがガスケットを介してバーナキャップに取付けられたことにある（請求項２）。したがって、燃料流量制御装置のノズルユニットがユニットベースを介してバーナキャップに取付けられて、容易にバーナ燃焼室内に取付けることができる。
【００１４】
ユニットベースに取付けることができれば、この実施の形態に示されない燃料流量制御装置もバーナ燃焼室に容易に取付けることができる。
【００１５】
【発明の実施の形態】
以下、この発明の実施の形態を図面に基づいて説明する。
【００１６】
図１において、この発明の概略の構成図が示され、油タンク１は、下記する燃料流量制御装置２より高い位置にあり、燃料はこの油タンク１からパイプよりなる往路３ａを通り、該燃料流量制御装置２に供給される。このパイプより成る往路３ａには、開閉弁４、ストレーナ５が流れ方向に順次設けられ、最も終端は電磁弁６を介して電磁ポンプ１３の吸入口２３に接続されている。
【００１７】
燃料流量制御装置２は、個々のユニットが結合されて構成され、大別してノズル１１とノズルホルダ１０とノズル本体８とから成るノズルユニット１２と、電磁ポンプ１３と電磁ポンプ本体１４から成る電磁ポンプユニット１５と、比例制御弁１６比例制御弁本体１７と比例制御弁ジョイント１８より成る比例弁ユニット１９との３つのユニットにて構成されている。この燃料流量制御装置２は、バーナ燃焼室２０のバーナキャップ２１にユニットベース２２を介して取付けられ、バーナ燃焼室２０の上方で電磁ポンプユニット１５と比例制御弁ユニット１９がバーナ燃焼室２０外に、ノズルユニット１２はバーナ燃焼室２０内に配されている。
【００１８】
この燃料流量制御装置２にあって、電磁ポンプ１３の吸入口２３は、電磁ポンプ本体１４に形成され、この吸入口２３より電磁ポンプユニット１５の往路３ｂが始められ、吐出口２４に至っている。そして、往路３ｂはノズルユニット１２の往路３ｃに接続され、この往路３ｃがノズルユニット１２のノズル本体８から始められ、ノズルホルダ１０を通りノズル１１に形成の噴霧口９に至っている。即ち、往路３は３ａ，３ｂ，３ｃの各往路より成っている。
【００１９】
また、戻し路７ａは、ノズル１１の噴霧口９の手前より始められ、ノズルホルダ１０を通り、ノズル本体８に至り、それから比例制御弁ユニット１９の戻し路７ｂに入り、この戻し路７ｂが比例制御弁本体１７、比例制御弁１６、比例制御弁ジョイント１８を通り前記電磁ポンプ本体１４の吸入口２３に至っている。即ち、戻し路７も７ａ，７ｂの各戻し路より成っている。
【００２０】
燃料流量制御装置２は、図２、図３にあって前述したごとく、ノズルユニット１２と電磁ポンプユニット１５及び比例制御弁ユニット１９がバーナ燃焼室２０のバーナキャップ２１に取付けられ、該バーナ燃焼室２０の上方でノズルユニット１２はその内部に、電磁ポンプユニット１５及び比例制御弁ユニット１９は外部にそれぞれ配されている。
【００２１】
まず、外部に配され、往路を構成する電磁ポンプユニット１５から説明し、これと並設の戻し路を構成する比例制御弁ユニット１９をその後に説明する。電磁ポンプユニット１５は、図４にも拡大して示されるように、電磁ポンプ１３を持っており、図上最も上方で吸入弁２５と吐出弁２６とが水平に配され、吸入弁２５の上流側の吸入口２３の右端側は大径凹部となり、下記する比例制御弁ユニットの接続凹部３１となっている。この比例制御弁ユニット接続凹部３１にパイプより成る往路３ａが電磁弁６を介して接続され、その接続孔３５は前記吸入弁２５より低い位置となっている。
【００２２】
電磁ポンプ１３は、ボビン３０に電線が巻装された電磁コイル２７を有しており、この電磁コイル２７の両側方向及び上端にコ字形の鉄板２９が配されると共に、下端に磁気プレート２８が配され、両者で環状磁路が形成される。そして前記電磁コイル２７のボビン３０の中央を貫通して形成の貫通孔に、非磁性材のガイドパイプ３３が嵌挿されている。なお、前記コ字形の鉄板２９の下方の両者は、外方に折曲されて下記するユニットベース２２への取付片２９ａ，２９ｂとなっている。
【００２３】
電磁プランジヤ３４は、鉄などの磁性材により略円筒状に形成されたもので、上ばね３６と下ばね３７によって前記ガイドパイプ３３内に形成のプランジヤ作動室３８内に摺動自在に支持されている。また、この電磁プランジヤ３４に縦方向に縦孔４０が形成され、該縦孔４０が上下に分けられたプランジヤ作動室３８を連通している。
【００２４】
ピストン４２は、その下端が前記した電磁プランジヤ３４の上部に固定され、シリンダ４３内に挿入されている。このピストン４２は、前記電磁プランジヤ３４の往復動に伴って往復動され、ポンプ室４５内の容積の変化を与えて前記した吸入弁２５と吐出弁２６とでポンプ作用が行われる。
【００２５】
詳述すれば、ピストン４２が下降してポンプ室４５の容積が増大し、ポンプ室４５が負圧となると吸入弁２５を開いて燃料を吸い込み、またピストン４２が上昇してポンプ室の容積が減少し、ポンプ室４５が正圧となると吐出弁２６を開いて燃料をを吐出するものである。吐出弁２６から吐出弁された燃料は、圧力調整装置３９にて所定圧に調圧され、アキュームレータ４１で整圧され、前記したプランジヤ作動室３８に流れ込むものである。
【００２６】
磁気ロッド４７は磁性材より成り、軸方向に貫通孔４８が形成され、前記ガイドパイプ３３の下端に嵌合されると共に、前記下ばね３７を支えている。この磁気ロッド４７の下端には、電磁弁５０が設けられている。この電磁弁５０は電磁可動片５１とばね５２と電磁弁ケース５３とより成り、前記電磁コイル２７に駆動電流が印加されると、可動片５１がばね５２に抗して磁気ロッド側へ変位し、もって吐出口２４が開かれるものである。
【００２７】
この電磁弁５０の電磁弁ケース５３は、前記磁気プレート２８及び鉄板２９の下端の取付片２９ａ，２９ｂよりも下方へ突出して形成され、下記するユニットベース２２に形成の孔９０を介してバーナ燃焼室２０内に突出され、下記するノズルホルダユニット１２のノズル本体８に形成の接続凹部８１に嵌挿されている。なお、往路３ｂは吸入口２３、吸入弁２５、吐出弁２６、プランジヤ作動室３８、縦孔４０、貫通孔４８、電磁弁５０、吐出口２４より構成される。
【００２８】
次に比例制御弁ユニット１９を説明すると、該比例制御弁ユニット１９は図５にも示すように、比例制御弁１６を持っており、その上方に比例制御弁ジョイント１８を、その下方に比例制御弁本体１７が配されて構成されている。まず、比例制御弁１６は、ボビン６０に巻装の電磁コイル５５を備え、この電磁コイル５５の両側方向及び上端にコ字形の鉄板５６が配されると共に、下端に磁気プレート５７が配され、両者で環状磁路が形成される。５８はブラケットである。
【００２９】
そして、ボビン６０の中央を貫通して形成された貫通孔には、非磁性材のガイドパイプ５９が挿入され、このガイドパイプ５９の下端には磁性材の磁気ロッド６２が配され、その磁気ロッド６２の軸方向の孔内に弁座６３が挿入されている。この弁座６３は軸方向に貫通孔６４を持ち、この弁座６３に着座する下記するように弁体６５が配されている。また、前記ガイドパイプ５９の上端には、磁性材の押圧部材６６が配され、この押圧部材６６は、ばね６１で付勢され、反ばね側に設けられたロッド６６ａが前記弁体６５と接している。
【００３０】
弁体６５は、上下双方から上及び下ばね６７，６８とで支えられ、前記したごとくロッド６６ａが当接しているが、電磁コイル５５への矩形波パルス電流の電流値変化により弁体６５への付勢力が変化し、通過する流量が可変される。ちなみに、電流値が大きくなると、通過する燃料は減少する。６９は入力端子である。
【００３１】
比例制御弁本体１７には、戻し路７ｂとなる水平孔７０と縦孔７１を備え、垂直孔７１内にはフィルタ７２が収納されていると共に、上端では前記弁座６３が嵌め込まれる接続大径部７３となり、下端では下記するノズルホルダ１２のノズル本体８の接続凸部８２が嵌挿される接続大径部７４とを有している。また、戻し路７ｂの縦孔７１には、アキュームレータ７５が接続されている。
【００３２】
比例制御弁ジョイント１８には、戻し路７ｂとなる縦孔７６と水平孔７７とが形成され、縦孔７６はばね６５が収容されると共に、開口端に前記ガイドパイプ５９が挿入され、比例制御弁１６と接続され、また水平孔７７の左端側は外径を縮小した挿入部７８となっていて、前記した電磁ポンプユニット１５の比例制御弁ユニットの接続凹部３１に嵌め込まれている。これにより、戻し路７ｂは吸入口２３を構成する往路３ｂに接続されることになる。なお、戻し路７ｂを構成する水平孔７７は、前記した吸入口２３より低い位置にある。
【００３３】
次にバーナ燃焼室２０内に配されるノズルユニット１２を説明するが、その前に前述の電磁ポンプユニット１５、比例制御弁ユニット１９並びにノズルユニット１２が取付けられるバーナキャップ２１及びユニットベース２２にて説明する。
【００３４】
バーナキャップ２１は、図６、図７に示すように、バーナ燃焼室２０の上部開口に設けられ、該開口の形状に合致する形状となっており、４角に該バーナ燃焼室２０を構成するウイドボックス１２４に固着するビス穴８４が形成され、また中央に略円形状の大きな穴８５が形成されている。この穴８５の外側で同心円状の段部８６が形成され、この段部８６には、下記するガスケット１００（図８に示す）を介してユニットベース２２が取付けられるもので、段部８６に４つのねじ孔８７が形成されている。
【００３５】
ユニットベース２２は、図９に示すように円板状で、前記バーナキャップ２１上に載置されるもので、最も外側の周囲に４つのバーナキャップ取付孔８９が形成されると共に、前記電磁ポンプユニット１５の電磁弁ケース５３が挿入の孔９０、電磁ポンプ１３の取付片２９ａ，２９ｂのねじ穴に螺合のねじ９２が挿入される穴９１、下記するノズルユニット１２のノズル本体８に形成の接続凸部８２が挿入される穴９３、ノズル本体８がユニットベース２２に取付けられるねじ穴９４ａ、９４ｂ，９４ｂ、炎感知器が取付けられる穴９５、点火プラグ用コード挿入孔９６がそれぞれ形成されている。
【００３６】
ガスケット１００は、防振性ゴム材から作られ、図８に示され、前記バーナキャップ２１の段部８６上に載置できるように同形状に形成されると共に、バーナキャップの中心穴８５と略同じ形状の中心穴１０１を有し、また、周囲に４つの孔１０２が形成されている。
【００３７】
ノズルユニット１２は、図１０に示すように、ノズル本体８とノズルホルダ１０とノズル１１とより構成され、ノズル本体８は、その上面に往路３ｃとなる接続凹部８１が形成され、この接続凹部８１には前記した電磁弁５０の電磁弁ケース５３が前記ユニットベース２２の穴９０を介して嵌挿されている。これにより、往路３ｂと往路３ｃとが接続される。
【００３８】
また、同じく上面には、戻し路７ａとなる接続凸部８２が形成され、この接続凸部８２は前記ユニットベース２２の穴９３を介して前記した比例制御弁ユニット１９の比例制御弁本体１７の接続大径部７４に嵌挿されている。これにより、戻し路７ａと７ｂとが接続される。更に、ノズル本体８内には、往路３ｃとなる縦孔１０７と戻し路７ａとなる縦孔１０８，１０９と水平孔１１０を持ち、そしてノズル本体の下面には接続用孔１１２が形成されている。このような構成のノズル本体８は、３本のねじ１０３を介してねじ孔９４ａと孔９４ｂ，９４ｂを介して比例制御弁本体１７の図示しない２つのねじ孔に螺合してユニットベース２２に取付けられている。即ち、ノズルユニット１２がユニットベース２２に取付けられることになる。
【００３９】
ノズルホルダ１０は円筒状で、内部に縦方向に往路３ｃとなる縦孔１１４と戻し路７ａとなる縦孔１１５を有すると共に、上端にノズル本体８の接続用孔１１２に挿入の挿入部１１６が形成され、また下端にノズル１１を取付けるための取付孔１１７が形成されている。なお、前記戻し路７ａとなる縦孔１１５と前記ノズル本体８の縦孔１０９とにまたがって逆止弁１１８が形成されている。
【００４０】
ノズル１１は、公知構造を持つもので、概略は図１に示すように、中心に戻し路７ａとなる縦孔１２０とそれに並設の往路３ｃとなる縦孔１２０が形成され、両孔は噴霧口９の近くで接続されている。
【００４１】
バーナ燃焼室２０は、上方にウインドボックス１２４が配され、上部は開口され、それには前述のごとくバーナキャップ２１が取付けられている。前記ウインドボックス１２４には、送風機（図示せず）からの風の送風口１２５が形成され、その送風を整流する整流筒１２６がウインドボックス１２４内に配されている。整流筒１２６内には、前述したノズルホルダ１０に取付けられたカバー１２７及びそれに続いて燃焼筒１２８が配されている。
【００４２】
前述の構成において、燃料流量制御装置２の駆動は、電磁ポンプ１３に所定の駆動パルス電流が印加されて駆動されると共に、比例制御弁１６にも所定の制御電流が印加される。即ち、比例制御弁１６には、所定の直流電流に１３３ヘルツの矩形波パルス電流を重畳せしめたパルス電流が供給される。パルス電流の電流値が大きくなるにつれて弁体６５を弁座６３に押圧する力が強くなる。又小さくなれば弁体６５の弁座６３への押圧力は弱くなるものである。
【００４３】
この燃料流量制御装置２にあって、戻し路７は最も下端のノズル１１の縦方向の戻し路７ａから始まり、その上のノズルホルダ１０縦孔１１５に接続され、そしてその上にノズル本体８の縦孔１０９、水平孔１１０、縦孔１０８に接続され、更に比例制御弁ユニット１９の比例制御弁本体１７の縦孔７１、比例制御弁１６のガイドパイプ５９、比例制御弁ジョイント１８の縦孔７６、水平孔７７に接続されている。
【００４４】
したがって、戻し路７は、一部水平部分を有するが、上下方向に接続され、内部に入った空気の滞留する場所をなくすと共に、戻し路７の最も下流の水平孔７７が前記吸入弁２５よりも低い位置にあり、そのため混入空気は浮力により低圧側であるが確実に電磁ポンプ１３の吸入側に戻すことができるものである。
【００４５】
電磁ポンプ１３は、上方に吸入口２９をこれに連なる吸入弁２５及び吐出弁２６を設けると共に、その下方にピストン４２、電磁プランジヤ３４、電磁弁５０が順次下方に向けて配され、最も下方に吐出口２４を設けている構造から、比例制御弁１６と並列配置が可能となり縦方向の寸法を小さくすることができた。また、ノズル本体８、ノズルホルダ１０、ノズル１１より成るノズルユニット１２をバーナ燃焼室２０内に配置されるので更に縦方向の寸法を短くすることができた。
【００４６】
また、燃料流量制御装置２は、ノズル１１を有するノズルユニット１２と、電磁ポンプ１３を有する電磁ポンプユニット１５と、比例制御弁１６を有する比例制御弁ユニット１９とを一体化して組み立てることによって構成したもので、往路３と戻し路７との形成に配管パイプを使用しなくても良くなり、配管作業をなくすことができた。このことはコストの引き下げに寄与できた。
【００４７】
これらの３つのユニット１２，１５，１９の結合より成る燃料流量制御装置２は、ユニットベース２２に取付けられてからバーナキャップ２１に取付けられるものであり、バーナ燃焼室２０への取付けを簡単にする利点を持つ。即ち、まず電磁ポンプユニット１５と比例制御弁ユニット１９は、電磁ポンプ本体１４の接続凹部３１に嵌入した比例制御弁ジョイント１８の挿入部７８をねじ１３０（図３に示す）にて固着する。次に電磁ポンプユニット１５の電磁弁ケース５３をユニットベース２２の穴９０に挿入し、しかる後にねじ９２を穴９１より取付片２９ａ，２９ｂのねじ孔にねじ込むことにより、電磁ポンプユニット１５と比例制御弁ユニット１９はユニットベース２２に簡単に取付けられるものである。
【００４８】
それから、ノズルユニット１２もノズル本体８の接合凸部８２を比例制御弁ユニット１９の比例制御弁本体１７に形成の接続大径部７４に穴９３を介して挿入する。そして、ねじ１０３をねじ孔９４ａに螺合すると共に、ねじ孔９４ｂ，９４ｂを介して比例制御弁本体１７のねじと共に螺合することで簡単に取付けることができるものである。
【００４９】
ユニットベース２２に取付けられた燃料流量制御装置２は、ガスケット１００を介在してバーナキャップ２１に載置し、それから図１１に示すように、バーナキャップ取付孔８９からブッシング１３１（防振ゴム）を介在しながらねじ１３２を挿入し、バーナキャップ２１に形成のねじ孔８７にねじ込まれて容易に取付けられるものである。前記ガスケット１００及びブッシング１３１により、気密効果を保ちながら燃料流量制御装置２の運転により発生する振動及び振動音をウインドボックス側へ伝えることを防止できるものである。。
【００５０】
【発明の効果】
以上のように、この発明によれば、燃料流量制御装置を構成するノズルユニットがバーナ燃焼室内にバーナキャップに取付けられて配されることから、該ノズルユニット部分の寸法を燃料流量制御装置の縦方向寸法から削除することができたものであり、更に小型化に寄与できたものである。
【００５１】
バーナ燃焼室内へのノズルユニットの取付けは、ノズルユニットが取付けられたユニットベースを介してバーナキャップに取付けることが行われるので、ノズルユニットの取付けは容易となった。
【００５２】
ユニットベースに取付けることができるのなら、実施の形態として示していない他の燃料流量制御装置も簡単にバーナ燃焼室に取付けることができるものである。即ち、バーナ燃焼室への取付けの標準化が図れるものである。
【図面の簡単な説明】
【図１】この発明の概略を示す構成図である。
【図２】この発明の縦断面図である。
【図３】この発明の横断面図である。
【図４】この発明の電磁ポンプユニットの断面図である。
【図５】この発明の比例制御弁ユニットの断面図である。
【図６】この発明のバーナキャップの平面図である。
【図７】同上の断面図である。
【図８】この発明のガスケットの平面図である。
【図９】この発明のユニットベースの平面図である。
【図１０】この発明のノズルユニットの断面図である。
【図１１】この発明のユニットベースがバーナキャップに取付けられる状態を示した一部拡大断面図である。
【図１２】本出願が先に提出した発明の概略を示す構成図である。
【符号の説明】
１  油タンク
２  燃料流量制御装置
３  往路
７  戻し路
８  ノズル本体
１０  ノズルホルダ
１１  ノズル
１２  ノズルユニット
１３  電磁ポンプ
１４  電磁ポンプ本体
１５  電磁ポンプユニット
１６  比例制御弁
１７  比例制御弁本体
１８  比例制御弁ジョイント
１９  比例制御弁ユニット
２０  バーナ燃焼室
２１  バーナキャップ
２２  ユニットベース
２５  吸入弁
２６  吐出弁
２７  電磁コイル
３１  比例制御弁ユニットの接続凹部
３４  電磁プランジヤ
３８  プランジヤ作動室
４２  ピストン
４３  シリンダ
５０  電磁弁
５３  電磁弁ケース
５５  電磁コイル
６３  弁座
６５  弁体
６６  押圧部材
７４  接続大径部
８１  接続凹部
８２  接続凸部
８５  中心穴
８６  段部
８９  バーナキャップ取付孔
１００  ガスケット
１２４  ウインドボックス
１３１  ブッシング
【図１】
0003557516.tif 000002
【図２】
0003557516.tif 000003
【図３】
0003557516.tif 000004
【図４】
0003557516.tif 000005
【図５】
0003557516.tif 000006
【図６】
0003557516.tif 000007
【図７】
0003557516.tif 000008
【図８】
0003557516.tif 000009
【図９】
0003557516.tif 000010
【図１０】
0003557516.tif 000011
【図１１】
0003557516.tif 000012
【図１２】
0003557516.tif 000013